(57)【要約】【課題】浄化剤を効率よく使用することができるうえ、浄化処理能力を向上させることで、優れた浄化性能を得ることができる。【解決手段】注ぎ口１４を有する有底筒状の容器本体１０と、容器本体１０の上端開口に着脱可能に装着される蓋体２とを備えた電気ポット１に装着され、原水貯水部３１と、原水貯水部３１の側面部３１Ａ及び底部３１Ｂを取り囲む底部収容領域３２Ａ及び側部収容領域３２Ｂを有すると共に、浄化剤が収容される浄化剤収容部３２と、を備え、原水貯水部３１の底部３１Ｂには、底部収容領域３２Ａに連通し底部収容領域３２Ａに原水を導入するための第１流入口３３が設けられ、側部収容領域３２Ｂの外周壁３２ｃには、浄化剤を通過した被処理水を容器本体１０内の浄水貯留部Ｒ内へ排水するための浄水排出口３５が設けられた構成の浄水カートリッジ３を提供する。【選択図】図１
2015217315.tif 000002
【特許請求の範囲】
【請求項１】
原水貯水部と、
該原水貯水部の少なくとも側面部を取り囲み、浄化剤が収容される浄化剤収容部と、
を備え、
前記原水貯水部の下部には、前記浄化剤収容部に連通し該浄化剤収容部に原水を導入するための流入口が設けられ、
前記浄化剤収容部の外壁には、前記浄化剤を通過した被処理水を外方へ排水するための浄水排出口が設けられている浄水カートリッジ。
【請求項２】
前記浄化剤収容部は、前記原水貯留部の側面部と底部を取り囲むとともに、底部収容領域と側部収容領域を有し、
前記流入口は、前記原水貯水部の底部に設けられ、該底部収容領域と連通し、
前記浄水排出口は、前記側部収容領域の外周壁に設けられている請求項１に記載の浄水カートリッジ。
【請求項３】
前記原水貯水部の側面部の上端側には、前記側部収容領域に連通すると共に、該側部収容領域に向けて原水を導入する第２の流入口が設けられている請求項２に記載の浄水カートリッジ。
【請求項４】
前記浄水排水口は、前記外周壁の周方向に沿って等間隔で複数設けられている請求項２又は３に記載の浄水カートリッジ。
【請求項５】
前記浄化剤収容部の上部には、空気排出孔が設けられている請求項１乃至４のいずれか１項に記載の浄水カートリッジ。
【請求項６】
注ぎ口を有する有底筒状の容器本体と、該容器本体の上端開口に着脱可能に装着される蓋体と、を備え、前記浄水カートリッジが前記容器本体に着脱可能に装着されている請求項１乃至５のいずれか１項に記載の浄水カートリッジを有するポット。
【請求項７】
前記容器本体を加熱する電気ヒーターを有する請求項６に記載のポット。
【請求項８】
前記蓋体には、前記浄水カートリッジの前記浄水排出口を外側から閉塞するカバー体が設けられている請求項７に記載のポット。
【請求項９】
前記カバー体、又は前記カバー体と前記容器本体との間には、蒸気排出口が設けられている請求項８に記載のポット。
【発明の詳細な説明】
【技術分野】
【０００１】
本発明は、水中の塩素等を除去する浄水機能を有する浄水カートリッジ及びこれを備えたポットに関するものである。
【背景技術】
【０００２】
この種の浄水カートリッジを備えたポットとして、例えば特許文献１に示されるように、原水貯水部の底側にフィルターカートリッジ（浄化剤）を設け、原水貯水部に入れた原水が浄化剤を通過し、その浄水が浄化剤の下に設けられる貫通口から排出されポットの集水タンク内に排出される重力式ろ過の構成のものが知られている。
【先行技術文献】
【特許文献】
【０００３】
【特許文献１】特開２０００−１１６５２０号公報
【発明の概要】
【発明が解決しようとする課題】
【０００４】
しかしながら、上述した電気ポットでは、以下のような問題があった。
すなわち、重力式ろ過の場合には、浄化剤中を通過する原水の流路方向が上から下への一方向のみとなり、長期間使用しているうちに浄化剤中に水みちが形成され易くなる。水みちが形成されると、浄化剤の一部のみを原水が通過することとなり、浄化剤を効率よく使用することができないという欠点があった。また、重力式ろ過の場合には、浄化剤を通過する原水が下向流となるので、原水中のカルキ等の不純物が浄化剤で除去されろ材で補足され、圧力損失が増大し、浄化効率が低下する問題があった。そのため、浄化処理能力の高いものが求められており、その点で改善の余地があった。
【０００５】
本発明は、このような事情に鑑みてなされたものであって、浄化剤を効率よく使用することができるうえ、浄化処理能力を向上させることで、優れた浄化性能を得ることができる浄水カートリッジ及びポットを提供することを目的とする。
【課題を解決するための手段】
【０００６】
上記の目的を達成するために、この発明は以下の手段を提供している。
本発明に係る浄水カートリッジは、原水貯水部と、該原水貯水部の少なくとも側面部を取り囲み、浄化剤が収容される浄化剤収容部と、を備え、前記原水貯水部の下部には、前記浄化剤収容部に連通し該浄化剤収容部に原水を導入するための流入口が設けられ、前記浄化剤収容部の外壁には、前記浄化剤を通過した被処理水を外方へ排水するための浄水排出口が設けられていることを特徴としている。
【０００７】
また、本発明に係るポットでは、注ぎ口を有する有底筒状の容器本体と、該容器本体の上端開口に着脱可能に装着される蓋体と、を備え、前記浄水カートリッジが前記容器本体に着脱可能に装着されていることを特徴とする上述した浄水カートリッジを有することを特徴としている。
【０００８】
本発明では、原水貯水部に供給された原水は、流入口から浄化剤収容部に収容されている浄化剤を通過し、その浄化された被処理水が浄化剤収容部の外壁に設けられた浄水排出口から外方へ排出される。つまり、原水は原水貯水部の下方から通過する流路となり、原水が浄化剤を通過する距離が大きくなることから、ろ過効率の向上を図ることができ、優れた浄水性能が得られる。
【０００９】
そして、浄水カートリッジが蓋体に装着されるポットでは、予め原水貯水部に原水を入れて浄水剤収容部の浄化剤を通過させ、水中からカルキ等の不純物が除去された被処理水を容器本体内に貯留しておくことができる。そして、ポットを傾けることで、容器本体内の浄水（被処理水）を注ぎ口から注ぐことができる。
さらに、浄水カートリッジが容器本体に対して着脱自在であるので、容易且つ頻繁に浄水カートリッジの交換作業を行うことができ、長期間、衛生的な浄水を得ることができる。
【００１０】
また、本発明に係る浄水カートリッジでは、前記浄化剤収容部は、原水貯留部の側面部と底部を取り囲むとともに、底部収容領域と側部収容領域を有し、前記流入口は、前記原水貯水部の底部に設けられ、該底部収容領域と連通し、前記浄水排出口は、前記側部収容領域の外周壁に設けられていることが好ましい。
【００１１】
本発明では、底部収容領域が原水貯水部の下流側であり、原水が底部収容領域から側部収容領域へ向かう上向流となることから、浄化剤全体が原水の流路となる。そのため、浄化剤内における水みちの発生を抑制することができ、浄化剤の使用効率を向上させることができる。
【００１２】
また、本発明に係る浄水カートリッジでは、前記原水貯水部の側面部の上端側には、前記側部収容領域に連通すると共に、該側部収容領域に向けて原水を導入する第２の流入口が設けられていることが好ましい。
【００１３】
本発明では、原水貯水部の上端側に設けられる第２の流入口と、原水貯水部の底部に設けられる前記流入口（第１流入口）の上下２方向から浄化剤に原水を導入することができる。そのため、例えば膨潤等により浄化剤の体積が変動する場合には、浄化剤を底部収容領域及び側部収容領域に充満させておくことができずに空隙を設ける必要がある。この場合、浄化剤の体積の変動に伴って浄化効率も変化するが、側部収容領域の上側に位置する第２の流入口からも原水が流入するため、その変化を抑制することができ、安定的に浄水性能を発揮することができる。すなわち、第２の流入口から流入した原水が、浄化剤の上端を均すため、浄化剤が偏らずに安定的に浄水性能を発揮することができる。
また、例えば浄化剤として軟水化剤を用い、意図的にリークさせた場合には、水の硬度を完全に除去することなく適度な硬度に保つことができるため、品質の高い水を提供しつつ、スケール付着を防止することが可能になるという利点がある。
【００１４】
また、本発明に係る浄水カートリッジでは、前記浄水排水口は、前記外周壁の周方向に沿って等間隔で複数設けられていることが好ましい。
【００１５】
この場合には、周方向の全体にわたって均一に被処理水を浄水カートリッジから排出することができ、すなわち浄化剤収容部を通過する原水の流路も周方向の全周にわたって拡散されて一定方向とならない利点がある。そのため、浄化剤の使用効率をさらに向上させることができる。
【００１６】
また、本発明に係るポットでは、前記浄化剤収容部の上部には、空気排出孔が設けられていることが好ましい。
【００１７】
このような構成にすることにより、浄化剤に含まれる空気を空気排出孔から排出することができ、ろ過速度を大きくすることができる。
【００１８】
また、本発明に係るポットでは、前記容器本体を加熱する電気ヒーターを有するようにしてもよい。
【００１９】
この場合には、上述したポットを電気ポットとして利用することができ、容器本体内で貯留されている浄水カートリッジの浄化剤を通過させた浄水（被処理水）を電気ヒーターで加熱した状態で注ぎ口より注ぐことができる。
【００２０】
また、本発明に係るポットでは、前記蓋体には、前記浄水カートリッジの前記浄水排出口を外側から閉塞するカバー体が設けられていることが好ましい。
【００２１】
この場合には、浄化後で浄水カートリッジを使用しないときに蓋体を配置することで、浄水排出口がカバー体によって閉塞されるので、容器本体内に貯留された被処理水を加熱したときに生じる蒸気が浄水排出口から浄水カートリッジの浄化剤収容部内に進入するのを抑制することができる。そのため、蒸気が浄化剤に直接接触することを防ぐことが可能となり、蒸気が当たることによる浄化剤の劣化を防止することができ、耐熱性の低い浄化剤を採用することもできる。
【００２２】
また、本発明に係るポットでは、前記カバー体、又は前記カバー体と前記容器本体との間には、蒸気排出口が設けられていることが好ましい。
【００２３】
この場合には、容器本体内に貯留された被処理水を加熱したときに生じる蒸気を蒸気排出口から効率よく排出することができ、浄水カートリッジ内への蒸気の進入を防ぐことができる。
【発明の効果】
【００２４】
本発明に係る浄水カートリッジ及びポットによれば、原水の流路方向を拡散させるとともに、浄化剤を通過する原水の流路が上向流となるので、浄化剤内における水みちの発生を抑制することができ、浄化剤の使用効率を向上させることができる。
さらに、原水が浄化剤を通過する距離を大きくすることで、ろ過効率の向上を図ることができ、優れた浄水性能が得られるという効果を奏する。
【図面の簡単な説明】
【００２５】
【図１】本発明の実施の形態による電気ポットの構成を示す縦断面図である。
【図２】図１に示す電気ポットの分解斜視図である。
【図３】図１に示す浄水カートリッジの構成を示す斜視図である。
【図４】図３に示すＡ−Ａ線断面図であって、浄水カートリッジの縦断面図である。
【図５】図４に示すＢ−Ｂ線断面図であって、浄水カートリッジの水平断面図である。
【発明を実施するための形態】
【００２６】
以下、本発明に係る浄水カートリッジ及びポットの実施の形態について図面を参照して説明する。
【００２７】
図１に示す本実施の形態による電気ポット１は、有底筒状の容器本体１０と、容器本体１０の上端開口に着脱可能に装着される蓋体２と、蓋体２の裏面側（下面側）に着脱可能に装着される浄水カートリッジ３と、を備えている。
ここで、電気ポット１は、ヒーター及び温度調節部材が設けられた電気プラグ基板Ｈに上方から載置可能に設けられ、載置されている状態で電気ポット１が加熱され、又は保温される電気ケトルを対象としている。
【００２８】
ここで、図１に示す容器本体１０における中心軸線を容器軸Ｏといい、この容器軸Ｏ方向に沿った蓋体２側を上側といい、容器本体１０の底壁１２側を下側といい、容器軸Ｏ回りに周回する方向を周方向という。
【００２９】
容器本体１０は、上面視で円形状に形成された周壁１１と、底壁１２と、を備えている。周壁１１には、把持部１３と、その把持部１３に対向して位置する注ぎ口１４が一体に成形されており、周壁１１の開口端に前記蓋体２が着脱可能に設けられている。周壁１１は、下筒部１１Ａと、注ぎ口１４を含み下筒部１１Ａよりも肉厚の薄く、内径の大きな上筒部１１Ｂとからなり、下筒部１１Ａと上筒部１１Ｂとで周方向に沿って段部１１ａが形成されている。蓋体２は、上筒部１１Ｂに嵌合され、蓋体２の下端が後述する浄水カートリッジ３を介して段部１１ａに当接している。
【００３０】
注ぎ口１４は、内周側から外周側に向けて貫通する注出路を形成している。
注ぎ口１４の内空側の開口は、装着されている蓋体２内に形成される流路溝２１ｂ（後述）に連通している。そして、下筒部１１Ａの内側は、浄水カートリッジ３によって処理された被処理水を溜める浄水貯留部Ｒとなっている。
【００３１】
図２に示すように、蓋体２は、天壁２１と、天壁２１の外周縁から下方に垂下される筒状のカバー筒２２（カバー体）とから有頂筒状に形成されている。カバー筒２２の内側の空間には、浄水カートリッジ３が下方から装着されるようになっている。
天壁２１は、上端縁から全周にわたって容器軸Ｏに直交する方向の外方に向けて突出する鍔部２３が形成され、上面部分の中央には皿状に凹んだ凹部２１ａが形成されその凹部２１ａ内につまみ部２４が形成されている。鍔部２３は、蓋体２が容器本体１０内の浄水貯留部Ｒに落下しないように、容器本体１０の上縁部１０ａに上方から当接している。
【００３２】
カバー筒２２は、図１に示すように、容器本体１０の上筒部１１Ｂとの間に浄水貯留部Ｒと注ぎ口１４とを連通する流路Ｓを形成している。
また、天壁２１の外周面には、流路Ｓと注ぎ口１４の両方に連通する流路溝２１ｂが形成されており、さらに厚さ方向（上下方向）に貫通して蒸気排出口２５が周方向に適宜な間隔をあけて複数設けられている。この蒸気排出口２５は、流路Ｓを介して浄水貯留部Ｒに連通している。
【００３３】
図３及び図４に示すように、浄水カートリッジ３は、有底筒状の原水貯水部３１と、浄化剤が収容される浄化剤収容部３２とを備えている。浄化剤収容部３２は、原水貯水部３１の側面部３１Ａ及び底部３１Ｂを取り囲む側部収容領域３２Ｂ及び底部収容領域３２Ａを有する。
【００３４】
原水貯水部３１の底部３１Ｂには、図４に示すように、容器軸Ｏに同軸に配置され、底部収容領域３２Ａに連通し原水貯水部３１内から底部収容領域３２Ａに原水を導入するための筒状の第１流入口３３が設けられている。第１流入口３３は、底部３１Ｂの開口縁から下方に向けて突設するとともに、周方向に間隔をあけて複数の開口３３ａが形成されている。第１流入口３３の下端３３ｂは、後述する浄化剤収容部３２の底壁３２ａの凹溝が環状に形成されている係止部３２ｂに係止されている。原水貯水部３１は、第１流入口３３の下端３３ｂが浄化剤収容部３２の係止部３２ｂに係止することにより、浄化剤収容部３２の内側の所定位置、すなわち原水貯水部３１と浄化剤収容部３２（容器軸Ｏ）と同軸なるように位置決めされることになる。
【００３５】
原水貯水部３１の側部３１Ａの上端側には、浄化剤収容部３２の側部収容領域３２Ｂに連通すると共に、側部収容領域３２Ｂに向けて原水を導入する第２流入口３４（第２の流入口）が周方向に間隔をあけて複数設けられている。
また、底部３１Ｂの下面には、下方に向けて延びる脚部３１ａを備えている。この脚部３１ａを浄化剤収容部３２の底壁３２ａ上に当接することで、原水貯水部３１を浄化剤収容部３２内の所定の高さに位置決めさせることができる。
【００３６】
浄化剤収容部３２は、原水貯水部３１よりも大径の有底筒状をなし、底壁３２ａと外周壁３２ｃとを有している。底壁３２ａの上面には、容器軸Ｏと同軸に係止部３２ｂが形成され、上記のようにこの係止部３２ｂの凹溝部分に第１原水導入口３３の下端３３ｂが嵌合している。
ここで、浄化剤収容部３２の内側に原水貯水部３１を同軸に装着させた状態で、原水貯水部３１の底部３１Ｂと浄化剤収容部３２の底壁３２ａとの間に形成される領域が上述した底部収容領域３２Ａとなり、側部３１Ａと外周壁３２ｃとの間に形成される領域が上述した側部収容領域３２Ｂとなり、底部収容領域３２Ａ及び側部収容領域３２Ｂのそれぞれに浄化剤が収容されている。
【００３７】
側部収容領域３２Ｂの外周壁３２ｃには、浄化剤を通過した被処理水を外方へ排水するための浄水排出口３５が外周壁３２ｃの周方向に沿って等間隔で複数設けられている（図５参照）。図１に示すように、外周壁３２ｃの外周面は、蓋体２のカバー筒２２の内面に対して隙間なく接した状態で配設されている。そのため、浄水排水口３５は、その開口が蓋体２が取り付けられたカバー筒２２によって塞がれた状態となり、浄化剤収容部３２の内側と外側の流通が規制されることになる。
このように構成される浄化剤収容部３２は、第１流入口３３及び第２流入口３４より原水貯水部３１の原水が導入され、その原水は底部収容領域３２Ａ及び側部収容領域３２Ｂに収容されている図示しない浄化剤を通過して浄水排出口３５から排出される流通路を形成している。
【００３８】
また、図３及び図４に示すように、浄水カートリッジ３には、原水貯水部３１の上端と浄化剤収容部３２の上端との間の開口を塞ぐリング状の蓋部３６が着脱可能に設けられている。この蓋部３６の内周縁及び外周縁には、それぞれ下方に向けて突出する内筒３６ａ（図４参照）が全周にわたって設けられている。蓋部３６は、内筒３６ａが原水貯水部３１の側部３１Ａと浄化剤収容部３２の外周壁３２ｃとの間に内嵌し、原水貯水部３１と浄化剤収容部３２の上端同士の位置決めをしている。
【００３９】
蓋部３６には、厚さ方向に貫通する空気排出孔３７が複数（図３では２箇所）設けられている。
また、浄化剤収容部３２の底壁３２ａには、図１及び図２に示すように、周方向に所定間隔をあけて外方に向けて張り出す突起片３８が設けられている。この突起片３８は容器本体１０の段部１１ａに上方から当接することで、浄水カートリッジ３が容器本体１０に所定の高さ位置で装着されることになる。
【００４０】
浄化剤収容部３２内に収容される浄化剤としては、吸着剤や中空糸膜などが採用される。
吸着剤としては、粉末状吸着剤、この粉末吸着剤を造粒した粒状吸着剤、繊維状吸着剤などが挙げられる。具体的には、例えば、天然物系吸着剤（天然ゼオライト、銀ゼオライト、酸性白土等）、合成物系吸着剤（合成ゼオライト、細菌吸着ポリマー、ヒドロキシアパタイト、モレキュラーシーブ、シリカゲル、シリカアルミナゲル系吸着剤、多孔質ガラス、ケイ酸チタニウム等）などの無機質吸着剤；粉末状活性炭、粒状活性炭、繊維状活性炭、ブロック状活性炭、押出成形活性炭、成形活性炭、分子吸着樹脂、合成物系粒状活性炭、合成物系繊維状活性炭、イオン交換樹脂(カチオン交換樹脂、アニオン交換樹脂)、イオン交換繊維、キレート樹脂、キレート繊維、高吸収性樹脂、高吸水性繊維、吸油性樹脂、吸油剤などの有機系吸着剤等、公知のものが挙げられる。中でも、抗菌性のある銀添着活性炭を有することが望ましい。特に粒状の吸着剤を用いる場合、その粒度分布は２００〜１７００μｍが好ましい。粒度が小さすぎると浄化剤の通水抵抗が大きくなり。流速が遅くなる。粒度が大きすぎると、表面積が小さくなり除去性能が低下する。
【００４１】
また、中空糸膜としては、微生物及び細菌を含む０．１μｍ以上の粒状体の濾過、除去に好適に使用され、種々の多孔質かつ管状のものを使用することができる。具体的には、種々の多孔質かつ管状の中空糸膜が使用でき、例えば、セルロース系、ポリオレフィン（ポリエチレン、ポリプロピレン）系、ポリビニルアルコール系、エチレン・ビニルアルコール共重合体、ポリエーテル系、ポリメタクリル酸メチル（ＰＭＭＡ）系、ポリスルフォン系、ポリアクリロニトリル系、ポリ四弗化エチレン系、ポリビニリデンフロライド（ＰＶＤＦ）系、ポリカーボネイト系、ポリエステル系、ポリアミド系、芳香族ポリアミド系、等の各種材料からなるものが使用できる。中でも、中空糸膜の取扱性や加工特性等を考慮すると、ポリエチレンやポリプロピレン等のポリオレフィン系の中空糸膜が好ましい。
【００４２】
以上説明した本実施の形態による電気ポット１によれば、以下の作用効果を奏する。
図１に示すように、浄水カートリッジ３が蓋体２の下側に装着される電気ポット１では、予め原水貯水部３１に原水Ｗを入れて浄水剤収容部３２の浄化剤を通過させ、水中からカルキ等の不純物が除去された被処理水を容器本体１０の内に貯留しておくことができる。つまり、電気ポット１の浄水貯留部Ｒ内に水を溜める、或いは追加する場合には、先ず、図１及び図２に示す蓋体２のつまみ部２４を持って容器本体１０から取り外す。これにより、浄化剤収容部３２の浄水排出口３５を塞ぐカバー筒２２が蓋体２の取り外しに伴って取り除かれるので、浄水排出口３５の内側（側部収容領域３２Ｂ）と外部（流路Ｓ）とが連通した状態となる。
【００４３】
その後、図４に示すように、浄水カートリッジ３の原水貯水部３１内に水（原水Ｗ）を供給すると、その原水Ｗが底部３１Ｂ側の第１流入口３３から浄化剤収容部３２の底部収容領域３２Ａ内に導入される（矢印Ｆ１参照）。このとき、第１流入口３３に形成される開口３３ａが周方向に所定間隔をあけて形成されているので、原水Ｗは第１流入口３３から放射状に底部収容領域３２Ａに導入される。底部収容領域３２Ａに導入された原水Ｗは、底部収容領域３２Ａ内の浄化剤を通過し、さらに側部収容領域３２Ｂ内の浄化剤を通過して浄化される。その浄水（被処理水）は、図１に示すように、側部収容領域３２Ｂの外周壁３２ｃに設けられた浄水排出口３５から流路Ｓを介して浄水貯留部Ｒへ排出される。また、原水貯水部３１内に供給する原水Ｗの量を図４に示す符号Ｗ１の供給ラインより多くした場合には、原水Ｗは第１流入口３３のみならず、第２流入口３４からも側部収容領域３２Ｂに導入されることになる（図４の矢印Ｆ２参照）。
そして、容器本体１０を傾けることで、原水中からカルキ等の不純物が除去されて浄水貯留部Ｒ内に貯留された浄水（被処理水）を注ぎ口１４から注ぐことができる。
【００４４】
このように、原水貯水部３１内の原水Ｗは底部収容領域３２Ａ及び側部収容領域３２Ｂの両方を通過する流路となり、原水Ｗが浄化剤を通過する距離が大きくなることから、ろ過効率の向上を図ることができ、優れた浄水性能が得られる。
しかも、底部収容領域３２Ａが原水Ｗの上流側であり、原水Ｗが底部収容領域３２Ａから側部収容領域３２Ｂへ向かう上向流（図４に示す矢印Ｆ３）となることから、浄化剤全体が原水の流路となる。そのため、浄化剤内における水みちの発生を抑制することができ、浄化剤の使用効率を向上させることができる。
【００４５】
さらに、浄水カートリッジ３が蓋体２に対して着脱自在であるので、容易且つ頻繁に浄水カートリッジ３の交換作業を行うことができ、長期間、衛生的な浄水を得ることができる。
【００４６】
また、本実施の形態では、原水貯水部３１の上端側に設けられる第２流入口３４と、原水貯水部３１の底部３１Ｂに設けられる第１流入口３３の上下２方向から浄化剤に原水Ｗを導入することができる。そのため、例えば膨潤等により浄化剤の体積が変動する場合には、浄化剤を底部収容領域３２Ａ及び側部収容領域３２Ｂに充満させておくことができずに空隙を設ける必要がある。この場合、浄化剤の体積の変動に伴って浄化効率も変化するが、側部収容領域３２Ｂの上側に位置する第２流入口３４からも原水Ｗが流入するため、その変化を抑制することができ、安定的に浄水性能を発揮することができる。
すなわち、第２流入口３４から流入した原水Ｗが、膨潤などによって片寄った浄化剤の上端を均すことができ、第１流入口３３から流入した原水Ｗのショートパスを防ぐことができる。
また、例えば浄化剤として軟水化剤を用い、意図的にリークさせた場合には、水の硬度を完全に除去することなく適度な硬度に保つことができるため、品質の高い水を提供しつつ、スケール付着を防止することが可能になるという利点がある。
【００４７】
さらに、本実施の形態の浄水カートリッジ３では、図５に示すように、浄水排水口３５が外周壁３２ｃの周方向に沿って等間隔で複数設けられているので、周方向の全体にわたって均一に被処理水を浄水カートリッジ３から外包に向けて排出することができ、すなわち浄化剤収容部３２を通過する原水Ｗの流路も周方向の全周にわたって拡散されて一定方向とならない利点がある。そのため、浄化剤の使用効率をさらに向上させることができる。
【００４８】
さらにまた、本実施の形態では、図３に示すように、浄化剤収容部３２の上部に配置される蓋部３６に空気排出孔３７が設けられているので、浄化剤に含まれる空気をこれら空気排出孔３７から排出することができ、ろ過速度を大きくすることができる。
【００４９】
また、図１に示すように、浄化後で浄水カートリッジ３を使用しないときに蓋体２を配置することで、浄水排出口３５が蓋体２のカバー筒２２によって閉塞されるので、容器本体１０内に貯留された被処理水を加熱したときに生じる蒸気が流路Ｓを介して浄水排出口３５から浄水カートリッジ３の浄化剤収容部３２内に進入するのを抑制することができる。そのため、蒸気が浄化剤に直接接触することを防ぐことが可能となり、蒸気が当たることによる浄化剤の劣化を防止することができ、さらに耐熱性の低い浄化剤を採用することもできる。
【００５０】
しかも、本実施の形態の電気ポット１では、蓋体２に蒸気排出口２５が設けられているので、容器本体１０内に貯留された被処理水を加熱したときに生じる蒸気を蒸気排出口２５から効率よく排出することができ、浄水カートリッジ３内への蒸気の進入を防ぐことができる。
【００５１】
このように本実施の形態の浄水カートリッジ及びポットでは、原水Ｗの流路方向を拡散させるとともに、浄化剤を通過する原水Ｗの流路が上向流となるので、浄化剤内における水みちの発生を抑制することができ、浄化剤の使用効率を向上させることができる。
さらに、原水Ｗが浄化剤を通過する距離を大きくすることで、ろ過効率の向上を図ることができ、優れた浄水性能が得られるという効果を奏する。
【００５２】
なお、本発明の技術範囲は、上記実施の形態に限定されるものではなく、本発明の趣旨を逸脱しない範囲において、種々の変更を加えることが可能である。
【００５３】
例えば、上述の実施の形態では、電気ヒーターで容器本体１０を加熱する電気ポット１（電気ケトル）を対象としているが、電気ポットであることに制限されることはなく、加熱機能や保温機能を備えていない普通のポットであってもかまわない。
【００５４】
また、本実施の形態における容器本体１０、及び浄水カートリッジ３の大きさ、形状、位置などの構成は、適宜変更することが可能である。例えば、本実施の形態では、原水貯水部３１及び浄化剤収容部３２が平面視で円形状をなしているが、この形状に限らず、楕円形、多角形などとすることができる。
また、本実施の形態では、原水貯水部３１の上側に第２流入口３４を設けた構成としているが、これを省略し、底部３１Ｂに設けられる第１流入口３３のみを浄化剤収容部３２への原水導入路としてもよい。
【００５５】
また、本実施の形態における第１流入口３３は底部３１Ｂに設けられ、浄水排水口３５は外周壁３２ｃに設けられているが、浄化剤内に水みちの発生を抑制すれば良い。例えば、第１流入口を側部３１Ａの下端に設け、浄水排水口を周壁の上端部や、底壁３２ａに設けても良い。すなわち、原水貯留部の下部とは、底部３１Ｂや側部３１Ａの下端を差す。
【００５６】
さらに、本実施の形態ではカバー筒２２が蓋体２に設けられているが、このカバー筒２２を省略してもかまわないし、カバー筒２２と浄化剤収容部３２の外周壁３２ｃとの間に隙間が設けられる構成であってもよい。
【００５７】
その他、本発明の趣旨を逸脱しない範囲で、上記した実施形態における構成要素を周知の構成要素に置き換えることは適宜可能であり、また、前記した変形例を適宜組み合わせてもよい。
【符号の説明】
【００５８】
１  電気ポット（ポット）
２  蓋体
３  浄水カートリッジ
１０  容器本体
１１  周壁
１４  注ぎ口
２１  天壁
２２  カバー筒（カバー体）
２５  蒸気排出口
３１  原水貯水部
３１Ａ  側面部
３１Ｂ  底部
３２  浄化剤収容部
３２Ａ  底部収容領域
３２Ｂ  側部収容領域
３２ａ  底壁（外壁）
３２ｃ  外周壁（外壁）
３３  第１流入口
３４  第２流入口（第２の流入口）
３５  浄水排出口
３６  蓋部
３７  空気排出孔
Ｏ  容器軸
Ｒ  浄水貯留部
Ｓ  流路
Ｗ  原水
【図１】
2015217315.tif 000003
【図２】
2015217315.tif 000004
【図３】
2015217315.tif 000005
【図４】
2015217315.tif 000006
【図５】
2015217315.tif 000007